(57)【要約】【課題】この発明は、受信側の機器が自己の特性を送信側の機器に通知し、送信側の機器が通知された特性に対応した形態の映像信号を自動的に受信側の機器に送信することにより、ユーザにとっての取り扱いを便利にした映像信号送受信システムを提供することを目的としている。【解決手段】映像信号の受信側となる表示機器１２から、映像信号の送信側となるチューナ機器１１に、表示可能な映像信号の形態を示す形態情報を出力する。チューナ機器１１は、入力された形態情報と、自己が生成した映像信号の信号形態とに基づいて、出力する映像信号の信号形態を変換して、表示機器１２に出力する。【選択図】    図１
2005026884.tif 000002
【特許請求の範囲】
【請求項１】
所定の情報源から得られる情報に基づいて映像信号を生成する映像信号生成手段と、
この映像信号生成手段で生成された映像信号の信号形態を判定する信号形態判定手段と、
映像信号の形態を示す形態情報を保持する形態情報保持手段と、
この形態情報保持手段で保持された形態情報と前記信号形態判定手段で判定された信号形態とに基づいて、前記映像信号生成手段で生成された映像信号の形態を変換する信号形態変換手段と、
この信号形態変換手段から出力された映像信号を送信する映像信号送信手段とを具備したことを特徴とする映像信号送信装置。
【請求項２】
前記信号形態変換手段は、
前記形態情報保持手段で保持された形態情報と前記信号形態判定手段で判定された信号形態とに基づいて、前記映像信号送信手段から出力させる映像信号の形態を判定する映像信号判定手段と、
この映像信号判定手段で判定された形態に、前記映像信号生成手段で生成された映像信号の形態を変換する映像信号変換手段とを具備したことを特徴とする請求項１記載の映像信号送信装置。
【請求項３】
前記映像信号判定手段は、前記信号形態判定手段で判定された信号形態が、前記形態情報保持手段で保持された形態よりも映像の品位が高い場合、前記映像信号送信手段から出力させる映像信号を、前記形態情報保持手段で保持された形態とするように判定することを特徴とする請求項２記載の映像信号送信装置。
【請求項４】
前記映像信号判定手段は、前記映像信号送信手段から出力させる映像信号の形態を判定する要素として、アスペクト比、水平走査線本数または走査方式を含むことを特徴とする請求項２または３記載の映像信号送信装置。
【請求項５】
前記映像信号生成手段は、
受信した放送信号から所定のチャンネルの放送信号を抽出するチューナ手段と、
このチューナ手段で抽出された放送信号から映像信号を生成する映像信号復元手段とを具備したことを特徴とする請求項１乃至４いずれかに記載の映像信号送信装置。
【請求項６】
前記映像信号生成手段は、
記録媒体を再生する再生手段と、
この再生手段の出力から映像信号を生成する映像信号復元手段とを具備したことを特徴とする請求項１乃至４いずれかに記載の映像信号送信装置。
【請求項７】
所定の情報源から得られる情報に基づいて映像信号を生成する工程と、
生成された映像信号の信号形態を判定する工程と、
映像信号の形態を示す形態情報を保持する工程と、
保持された形態情報と判定された信号形態とに基づいて、生成された映像信号の形態を変換する工程と、
形態の変換された映像信号を送信する工程とを具備したことを特徴とする映像信号送信方法。
【請求項８】
映像信号を受信する映像信号受信手段と、
この映像信号受信手段で受信された映像信号に所定の信号処理を施す映像信号処理手段と、
この映像信号処理手段で処理可能な映像信号の形態を示す形態情報を保持する形態情報保持手段と、
この形態情報保持手段に保持された形態情報を出力する形態情報出力手段とを具備したことを特徴とする映像信号受信装置。
【請求項９】
前記形態情報保持手段が保持する形態情報は、前記映像信号処理手段で処理可能な映像信号のアスペクト比、水平走査線本数または走査方式を含むことを特徴とする請求項８記載の映像信号受信装置。
【請求項１０】
前記映像信号処理手段は、
前記映像信号受信手段で受信された映像信号に表示用の信号処理を施す信号処理手段と、
この信号処理手段で信号処理の施された映像信号を表示する映像表示手段とを具備したことを特徴とする請求項８または９記載の映像信号受信装置。
【請求項１１】
前記映像信号処理手段は、
前記映像信号受信手段で受信された映像信号に記録用の信号処理を施す信号処理手段と、
この信号処理手段で信号処理の施された映像信号を記録再生する記録再生手段とを具備したことを特徴とする請求項８または９記載の映像信号受信装置。
【請求項１２】
映像信号を受信する工程と、
受信された映像信号に所定の信号処理を施す工程と、
処理可能な映像信号の形態を示す形態情報を保持する工程と、
保持された形態情報を出力する工程とを具備したことを特徴とする映像信号受信方法。
【請求項１３】
受信した映像信号に所定の信号処理を施す映像信号受信装置から、所定の情報源から得られる情報に基づいて映像信号を生成する映像信号送信装置に、処理可能な映像信号の形態を示す形態情報を出力させる形態情報出力手段と、
この形態情報出力手段で形態情報が入力された前記映像信号送信装置に、その入力された形態情報と、自己が生成した映像信号の信号形態とに基づいて、該生成した映像信号の信号形態を変換させる信号形態変換手段と、
この信号形態変換手段で信号形態の変換された映像信号を、前記映像信号送信装置から前記映像信号受信装置に出力させる映像信号出力手段を具備したことを特徴とする映像信号送受信システム。
【請求項１４】
前記形態情報出力手段は、前記映像信号送信装置と前記映像信号受信装置とが通信の成立する状態となったときに、前記映像信号受信装置から前記映像信号送信装置に、前記形態情報を出力させることを特徴とする請求項１３記載の映像信号送受信システム。
【請求項１５】
前記信号形態変換手段は、入力された形態情報を、前記映像信号受信装置の識別情報と対応させて保持することを特徴とする請求項１３または１４記載の映像信号送受信システム。
【請求項１６】
それぞれ受信した映像信号に所定の信号処理を施す複数の映像信号受信装置から、所定の情報源から得られる情報に基づいて映像信号を生成する映像信号送信装置に、処理可能な映像信号の形態を示す形態情報を出力させる形態情報出力手段と、
この形態情報出力手段により複数の前記映像信号受信装置からの形態情報が入力された前記映像信号送信装置に、その入力された各形態情報と、自己が生成した映像信号の信号形態とに基づいて、該生成した映像信号の信号形態を前記映像信号受信装置毎に変換させる信号形態変換手段と、
この信号形態変換手段で信号形態の変換された各映像信号を、前記映像信号送信装置から対応する前記映像信号受信装置にそれぞれ出力させる映像信号出力手段を具備したことを特徴とする映像信号送受信システム。
【発明の詳細な説明】
【０００１】
【発明の属する技術分野】
この発明は、放送の受信や記録媒体の再生によって得られる映像信号を出力する映像信号送信装置及び映像信号送信方法に関する。また、この発明は、上記のように出力された映像信号を入力する映像信号受信装置及び映像信号受信方法に関する。さらに、この発明は、上記した映像信号の送信とその受信とを行なう映像信号送受信システムに関する。
【０００２】
【従来の技術】
周知のように、例えば衛星デジタル放送を受信して映像信号を出力するチューナ機器にあっては、ＣＲＴ（Ｃａｔｈｏｄｅ  Ｒａｙ  Ｔｕｂｅ）等の映像表示部を備えた表示機器を接続することにより、その出力した映像信号を表示機器に映像表示させることができる。
【０００３】
しかしながら、このようにチューナ機器と表示機器とを接続する場合には、ユーザが両方の機器の特性を考慮して、チューナ機器から表示機器に出力させる映像信号の形態を決定する必要があるため、接続作業が煩雑になるという問題が生じる。
【０００４】
特許文献１では、入力された映像信号を、その検出された信号フォーマットから、放送局内で制作や送出システムに用いられる信号フォーマットに自動的に変換する構成であり、チューナ機器や表示機器等の一般家庭用の汎用機器にそのまま適用することは困難である。
【０００５】
【特許文献１】
特開２００２−３２０２０５号公報
【０００６】
【発明が解決しようとする課題】
そこで、この発明は上記事情を考慮してなされたもので、受信側の機器の特性に対応した形態の映像信号を自動的に送信することができ、ユーザにとっての取り扱いを便利にし得る映像信号送信装置及び映像信号送信方法を提供することを目的とする。
【０００７】
また、この発明は、自己の特性に対応した形態の映像信号を送信側の機器から受信することができ、ユーザにとっての取り扱いを便利にし得る映像信号受信装置及び映像信号受信方法を提供することを目的とする。
【０００８】
さらに、この発明は、受信側の機器が自己の特性を送信側の機器に通知し、送信側の機器が通知された特性に対応した形態の映像信号を自動的に受信側の機器に送信することができ、ユーザにとっての取り扱いを便利にし得る映像信号送受信システムを提供することを目的とする。
【０００９】
【課題を解決するための手段】
この発明に係る映像信号送信装置は、所定の情報源から得られる情報に基づいて映像信号を生成する映像信号生成手段と、この映像信号生成手段で生成された映像信号の信号形態を判定する信号形態判定手段と、映像信号の形態を示す形態情報を保持する形態情報保持手段と、この形態情報保持手段で保持された形態情報と信号形態判定手段で判定された信号形態とに基づいて映像信号生成手段で生成された映像信号の形態を変換する信号形態変換手段と、この信号形態変換手段から出力された映像信号を送信する映像信号送信手段とを備えている。
【００１０】
また、この発明に係る映像信号送信方法は、所定の情報源から得られる情報に基づいて映像信号を生成する工程と、生成された映像信号の信号形態を判定する工程と、映像信号の形態を示す形態情報を保持する工程と、保持された形態情報と判定された信号形態とに基づいて、生成された映像信号の形態を変換する工程と、形態の変換された映像信号を送信する工程とを備えている。
【００１１】
さらに、この発明に係る映像信号受信装置は、映像信号を受信する映像信号受信手段と、この映像信号受信手段で受信された映像信号に所定の信号処理を施す映像信号処理手段と、この映像信号処理手段で処理可能な映像信号の形態を示す形態情報を保持する形態情報保持手段と、この形態情報保持手段に保持された形態情報を出力する形態情報出力手段とを備えている。
【００１２】
また、この発明に係る映像信号受信方法は、映像信号を受信する工程と、受信された映像信号に所定の信号処理を施す工程と、処理可能な映像信号の形態を示す形態情報を保持する工程と、保持された形態情報を出力する工程とを備えている。
【００１３】
さらに、この発明に係る映像信号送受信システムは、受信した映像信号に所定の信号処理を施す映像信号受信装置から、所定の情報源から得られる情報に基づいて映像信号を生成する映像信号送信装置に、処理可能な映像信号の形態を示す形態情報を出力させる形態情報出力手段と、この形態情報出力手段で形態情報が入力された映像信号送信装置に、その入力された形態情報と自己が生成した映像信号の信号形態とに基づいて、該生成した映像信号の信号形態を変換させる信号形態変換手段と、この信号形態変換手段で信号形態の変換された映像信号を、映像信号送信装置から映像信号受信装置に出力させる映像信号出力手段とを備えている。
【００１４】
上記のような映像信号送信装置及び映像信号送信方法によれば、保持された形態情報と、自己が生成した映像信号の信号形態とに基づいて、出力する映像信号の信号形態を変換するようにしたので、受信側の機器の特性に対応した形態の映像信号を自動的に送信することができ、ユーザにとっての取り扱いを便利にすることができる。
【００１５】
また、上記のような映像信号受信装置及び映像信号受信方法によれば、処理可能な映像信号の形態を示す形態情報を出力するようにしたので、自己の特性に対応した形態の映像信号を送信側の機器から受信することができ、ユーザにとっての取り扱いを便利にすることができる。
【００１６】
さらに、上記のような映像信号送受信システムによれば、映像信号受信装置から映像信号送信装置に、処理可能な映像信号の形態を示す形態情報を出力させ、映像信号送信装置に、その入力された形態情報と自己が生成した映像信号の信号形態とに基づいて、映像信号受信装置に出力する映像信号の信号形態を変換させるようにしたので、受信側の機器が自己の特性を送信側の機器に通知し、送信側の機器が通知された特性に対応した形態の映像信号を自動的に受信側の機器に送信することができ、ユーザにとっての取り扱いを便利にすることができる。
【００１７】
【発明の実施の形態】
以下、この発明の実施の形態について、図面を参照して詳細に説明する。図１は、この実施の形態で説明する映像信号送受信システムの概略を示している。すなわち、この映像信号送受信システムは、映像信号の送信側の機器となるチューナ機器１１と、映像信号の受信側の機器となる表示機器１２とを、通信可能に接続した構成となっている。
【００１８】
このうち、チューナ機器１１は、衛星アンテナ１３を介して、例えばＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送を受信し、その映像信号を所定の形態で表示機器１２に送信する機能を有している。
【００１９】
また、上記表示機器１２は、チューナ機器１１から供給された映像信号を受信して、ＣＲＴ等の映像表示部に映像表示する機能を有している。さらに、この表示機器１２は、自己の特性を示す情報、つまり、受信可能な映像信号の形態を示す形態情報をチューナ機器１１に通知する機能を有している。
【００２０】
そして、上記チューナ機器１１では、表示機器１２から通知された形態情報に基づいて、映像信号を表示機器１２が受信可能な形態に自動的に変換して、表示機器１２に出力している。これにより、チューナ機器１１と表示機器１２との接続作業が容易になり、ユーザにとっての取り扱いを便利にすることができる。
【００２１】
図２は、表示機器１２の詳細を示している。この表示機器１２は、チューナ機器１１から送信された映像信号を映像信号受信部１４で受信する。この映像信号受信部１４で受信された映像信号は、映像信号処理部１５に供給されて映像表示のための所定の信号処理が施された後、映像表示部１６に供給されて映像表示される。
【００２２】
また、この表示機器１２は、形態情報保持部１７を備えている。この形態情報保持部１７は、表示機器１２が受信可能な、つまり、映像信号処理部１５で処理可能な、つまり、映像表示部１６で表示可能な映像信号の形態を示す形態情報を保持している。
【００２３】
この形態情報としては、例えば、表示画面のアスペクト比（例えば４：３、１６：９等）、水平走査線本数（例えば４８０、１０８０等）、走査方式（例えばインターレース、プログレッシブ等）のような要素を含んでいる。
【００２４】
この形態情報保持部１７に保持された形態情報は、形態情報出力部１８を介してチューナ機器１１に出力される。この場合、形態情報出力部１８は、チューナ機器１１と接続されて通信が成立する状態となったときに、形態情報保持部１７から形態情報を取り出し、チューナ機器１１に出力するように機能する。
【００２５】
図３は、チューナ機器１１の詳細を示している。このチューナ機器１１は、衛星アンテナ１３で受信したデジタル放送信号をチューナ部１９に供給する。このチューナ部１９は、入力されたデジタル放送信号から所定のチャンネルの放送信号を抽出する。このチューナ部１９で抽出された放送信号は、映像信号復元部２０に供給されて映像信号に復元される。
【００２６】
ここで、映像信号復元部２０で復元された映像信号は、映像信号変換部２１及び信号形態判定部２２にそれぞれ供給される。そして、信号形態判定部２２は、入力された映像信号から、その形態（アスペクト比、水平走査線本数、走査方式等の要素を含む）を判定し、判定結果を映像信号判定部２３に出力する。
【００２７】
また、このチューナ機器１１は、上記表示機器１２から出力された形態情報を入力する形態情報入力部２４を備えている。この形態情報入力部２４に入力された形態情報は、形態情報保持部２５に保持される。この場合、形態情報保持部２５には、形態情報と、その形態情報を出力した機器、つまり、表示機器１２の識別子とが対応して保持される。
【００２８】
そして、上記映像信号判定部２３では、形態情報保持部２５に保持された形態情報と、信号形態判定部２２で判定された信号形態とに基づいて、表示機器１２に送信すべき映像信号の形態を判定し、その判定結果を上記映像信号変換部２１に出力する。
【００２９】
例えば、形態情報保持部２５に保持された形態情報がアスペクト比４：３の４８０ｉ（ｉｎｔｅｒｌａｃｅ）であり、信号形態判定部２２の判定結果がアスペクト比１６：９の１０８０ｉである場合、映像信号判定部２３は、アスペクト比４：３で４８０ｉの形態の映像信号を表示機器１２に送信すべきであるとの判定を下し、その判定結果を上記映像信号変換部２１に出力する。
【００３０】
すると、映像信号変換部２１は、映像信号復元部２０から出力されたアスペクト比１６：９で１０８０ｉの形態の映像信号を、アスペクト比４：３で４８０ｉの形態の映像信号に変換する。そして、この映像信号変換部２１から出力された映像信号は、映像信号送信部２６を介して表示機器１２に出力される。
【００３１】
図４は、上記映像信号判定部２３の判定動作を説明するためのフローチャートである。まず、判定処理が開始（ステップＳ１）されると、映像信号判定部２３は、ステップＳ２で、形態情報保持部２５に保持された形態情報と、信号形態判定部２２の判定結果（信号形態を示す情報）とを入力する。
【００３２】
そして、映像信号判定部２３は、ステップＳ３で、表示機器１２に送信すべき映像信号の形態を判定する。この判定は、基本的に、映像信号復元部２０から出力された映像信号の形態が、表示機器１２で受信可能な映像信号の形態よりも上位、つまり、表示映像の品位が高い形態の場合に、映像信号復元部２０から出力された映像信号を、表示機器１２で受信可能な映像信号の形態に変換するように行なわれる。
【００３３】
図５は、水平走査線本数について、映像信号判定部２３が判定処理を行なうために有する判定テーブルを示している。すなわち、信号形態判定部２２の判定結果Ａが４８０ｉである場合には、形態情報保持部２５に保持された形態情報Ｂが４８０ｉ及び１０８０ｉのいずれであっても、映像信号復元部２０から出力された映像信号を４８０ｉに変換するように判定される。
【００３４】
また、信号形態判定部２２の判定結果Ａが１０８０ｉである場合には、形態情報保持部２５に保持された形態情報Ｂが４８０ｉの場合、映像信号復元部２０から出力された映像信号を４８０ｉに変換するように判定され、形態情報保持部２５に保持された形態情報Ｂが１０８０ｉの場合、映像信号復元部２０から出力された映像信号を１０８０ｉのまま出力するように判定される。
【００３５】
さらに、アスペクト比について言えば、信号形態判定部２２の判定結果が１６：９で、形態情報保持部２５に保持された形態情報が４：３のとき、映像信号復元部２０から出力された映像信号のアスペクト比を４：３に変換するように判定される。
【００３６】
その後、映像信号判定部２３は、ステップＳ４で、判定結果を映像信号変換部２１に出力し、ここに、判定動作が終了（ステップＳ５）される。
【００３７】
上記した実施の形態によれば、表示機器１２が自己の受信可能な映像信号の形態を示す形態情報をチューナ機器１１に通知し、チューナ機器１１が形態情報に基づいて表示機器１２に送信する映像信号の形態を自動的に変換するようにしたので、チューナ機器１１から表示機器１２に出力する映像信号の形態をユーザが設定する必要がなくなるため、ユーザにとっての取り扱いを便利にすることができる。
【００３８】
ここで、上記した実施の形態では、チューナ機器１１から送信される映像信号を受信する機器を表示機器１２としたが、映像信号の受信側の機器としては、例えば、記録再生機器を用いることも可能である。
【００３９】
図６は、ＤＶＤ（Ｄｉｇｉｔａｌ  Ｖｅｒｓａｔｉｌｅ  Ｄｉｓｋ）等の光ディスクに対して情報の記録再生を行なう記録再生機器２７の詳細を示している。図６において、図２と同一部分には同一符号を付して説明すると、チューナ機器１１から送信された映像信号は、映像信号受信部１４で受信され、映像信号処理部２８で記録のための所定の信号処理が施された後、記録再生部２９により光ディスクに記録される。
【００４０】
また、この記録再生機器２７の形態情報保持部１７には、記録再生機器２７が受信可能な、つまり、映像信号処理部２８で処理可能な、つまり、記録再生部２９で記録可能な映像信号の形態を示す形態情報が保持されている。
【００４１】
そして、この形態情報保持部１７に保持された形態情報は、形態情報出力部１８がチューナ機器１１の形態情報入力部２４と接続されて通信が成立する状態となったときに、形態情報保持部１７から取り出され、形態情報出力部１８を介してチューナ機器１１に出力される。
【００４２】
これにより、記録再生機器２７が自己の受信（記録）可能な映像信号の形態を示す形態情報をチューナ機器１１に通知し、チューナ機器１１が通知された形態情報に基づいて、記録再生機器２７に送信する映像信号の形態を自動的に変換することができる。
【００４３】
また、図７に示すように、チューナ機器１１に、表示機器１２と記録再生機器２７とを両方接続することもできる。そして、この場合、チューナ機器１１は、表示機器１２及び記録再生機器２７に対して、それぞれが受信可能な形態の映像信号を送信することができる。
【００４４】
例えば、チューナ機器１１の映像信号復元部２０から出力される映像信号の形態がアスペクト比１６：９で１０８０ｉ、表示機器１２で受信可能な映像信号の形態がアスペクト比４：３で４８０ｉ、記録再生機器２７で受信可能な映像信号の形態がアスペクト比４：３または１６：９で４８０ｉであるとする。
【００４５】
すると、チューナ機器１１は、表示機器１２から得た形態情報に基づいて、アスペクト比４：３で４８０ｉの形態の映像信号を表示機器１２に出力し、記録再生機器２７から得た形態情報に基づいて、アスペクト比１６：９で４８０ｉの形態の映像信号を記録再生機器２７に出力するように動作する。
【００４６】
また、上記の説明では、表示機器１２や記録再生機器２７に映像信号を送信する機器をチューナ機器１１としたが、映像信号の送信側の機器としては、例えば記録媒体から映像信号を再生する再生機器を用いることも可能である。
【００４７】
図８は、ＤＶＤ等の光ディスクから情報の再生を行なう再生機器３０の詳細を示している。図８において、図３と同一部分には同一符号を付して説明すると、再生部３１により光ディスクを再生して得られたデータが、映像信号復元部３２に供給されて映像信号に復元され、以下、映像信号変換部２１及び信号形態判定部２２に供給される構成となっている。
【００４８】
すなわち、映像信号の送信側の機器としては、放送を受信して映像信号を得る機器、記録媒体を再生して映像信号を得る機器、または、ネットワークを介して映像信号を得る機器等を含み、映像信号の供給元は問わないものである。換言すれば、所定の情報源から得られる情報に基づいて映像信号を生成することができれば良いものである。
【００４９】
また、映像信号の受信側の機器としては、受信した映像信号を表示する機器、受信した映像信号を記録再生する機器、受信した映像信号を他に伝送する機器、または、受信した映像信号を編集・加工する機器等を含み、映像信号の利用形態は問わないものである。
【００５０】
そして、映像信号の送信側となる種々の機器と、映像信号の受信側となる種々の機器とは、相互に不整合が生じない範囲で任意選択的に組み合わせて接続することが可能である。
【００５１】
また、映像信号の送信側となる機器と映像信号の受信側となる機器との間の信号伝送には、例えばＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，ｉｎｃ．）１３９４や有線ＬＡＮ（Ｌｏｃａｌ  Ａｒｅａ  Ｎｅｔｗｏｒｋ）等の有線での通信手段、ワイヤレスＬＡＮ等の無線による通信手段等、種々の通信手段が使用可能である。
【００５２】
なお、この発明は上記した実施の形態そのままに限定されるものではなく、実施段階ではその要旨を逸脱しない範囲で構成要素を種々変形して具体化することができる。
【００５３】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００５４】
【発明の効果】
以上詳述したようにこの発明によれば、受信側の機器の特性に対応した形態の映像信号を自動的に送信することができ、ユーザにとっての取り扱いを便利にし得る映像信号送信装置及び映像信号送信方法を提供することができる。
【００５５】
また、この発明によれば、自己の特性に対応した形態の映像信号を送信側の機器から受信することができ、ユーザにとっての取り扱いを便利にし得る映像信号受信装置及び映像信号受信方法を提供することができる。
【００５６】
さらに、この発明によれば、受信側の機器が自己の特性を送信側の機器に通知し、送信側の機器が通知された特性に対応した形態の映像信号を自動的に受信側の機器に送信することができ、ユーザにとっての取り扱いを便利にし得る映像信号送受信システムを提供することができる。
【図面の簡単な説明】
【図１】この発明の実施の形態を示すもので、映像信号送受信システムの概略を説明するために示すブロック構成図。
【図２】同映像信号送受信システムにおける表示機器の詳細を説明するために示すブロック構成図。
【図３】同映像信号送受信システムにおけるチューナ機器の詳細を説明するために示すブロック構成図。
【図４】同チューナ機器における映像信号判定部の判定処理動作を説明するために示すフローチャート。
【図５】同映像信号判定部における水平走査線本数について判定処理を行なう判定テーブルを説明するために示す図。
【図６】同映像信号送受信システムにおける記録再生機器の詳細を説明するために示すブロック構成図。
【図７】同映像信号送受信システムの他の例を説明するために示すブロック構成図。
【図８】同映像信号送受信システムにおける再生機器の詳細を説明するために示すブロック構成図。
【符号の説明】
１１…チューナ機器、１２…表示機器、１３…衛星アンテナ、１４…映像信号受信部、１５…映像信号処理部、１６…映像表示部、１７…形態情報保持部、１８…形態情報出力部、１９…チューナ部、２０…映像信号復元部、２１…映像信号変換部、２２…信号形態判定部、２３…映像信号判定部、２４…形態情報入力部、２５…形態情報保持部、２６…映像信号送信部、２７…記録再生機器、２８…映像信号処理部、２９…記録再生部、３０…再生機器、３１…再生部、３２…映像信号復元部。
【図１】
2005026884.tif 000003
【図２】
2005026884.tif 000004
【図３】
2005026884.tif 000005
【図４】
2005026884.tif 000006
【図５】
2005026884.tif 000007
【図６】
2005026884.tif 000008
【図７】
2005026884.tif 000009
【図８】
2005026884.tif 000010